(57)【特許請求の範囲】
【請求項１】
所定の支持対象物を支持した状態で身体に装着可能な担ぎ用具において、
装着者の肩部に装着される左右一対の肩掛け部と、これら肩掛け部に連なって装着者の胸部略中央に位置する胸部側ユニットとを備え、
前記肩掛け部は、前記肩部の前後方向に沿う肩当て領域と、前記胸部側ユニットから肩当て領域に向かって外側に拡開するように角度変位した基部領域とを備え、前記胸部側ユニットの左右幅内に略収まる位置に取り付けられるとともに、帯状の片部材を部分的に折り曲げることで得られる形状をなし、
前記基部領域は、その途中一箇所に形成された略直線状の折り曲げ部と、当該折り曲げ部の上方に位置する略平坦面状の上部領域と、折り曲げ部の下方に位置して胸部側ユニットに固定される略平坦面状の下部領域とにより構成され、
前記折り曲げ部は、正面視で上部領域が下部領域に対して外向きに屈曲するように形成され、且つ、側面視で上部領域が下部領域に対して後向きに屈曲するように形成されていることを特徴とする担ぎ用具。
【発明の詳細な説明】
【０００１】
【発明の属する技術分野】
本発明は担ぎ用具に係り、更に詳しくは、胸部への圧迫感を低減した状態で装着可能な担ぎ用具に関する。
【０００２】
【従来の技術】
鼓笛隊等の演奏に用いられる公知のマーチングキーボードとしては、例えば、図５に示されるものが知られている。このマーチングキーボード７０は、鍵盤７１やスピーカー７２等を含むキーボード本体７４と、このキーボード本体７４を支持した状態で演奏者Ｐに装着可能な担ぎ用具７５とを備えて構成されている。この担ぎ用具７５は、演奏者Ｐすなわち装着者Ｐの胸部Ｂの略中央に位置する胸部側ユニット７８と、装着者Ｐの肩部Ｓに引っ掛かるように装着されるとともに、当該肩部Ｓの前後方向に沿って湾曲する側面視略フック形状をなす左右一対の肩掛け部８０，８０と、胸部側ユニット７８の上端側と肩掛け部８０，８０の下端側とを連結する取付部材８９とを備えて構成されている。この取付部材８９は、胸部側ユニット７８の左右両側からそれぞれ外向きに突出する突出部８９Ａ，８９Ａが設けられ、当該突出部８９Ａ，８９Ａに肩掛け部８０，８０の下端側が取り付けられるようになっている。
【０００３】
【発明が解決しようとする課題】
しかしながら、前記担ぎ用具７５にあっては、胸部側ユニット７８よりも外向きに突出部８９Ａ，８９Ａが突出する構造となっているため、マーチングキーボード７０を担いで演奏している装着者Ｐに対し、胸部Ｂの広範囲に亘って圧迫感が付与され、これが、長時間の演奏を行う上での障害になるという不都合を招来する。
【０００４】
【発明の目的】
本発明は、このような不都合に着目して案出されたものであり、その目的は、胸部への圧迫感を低減して良好な装着感を付与することができる担ぎ用具を提供することにある。
【０００５】
【課題を解決するための手段】
前記目的を達成するため、本発明は、所定の支持対象物を支持した状態で身体に装着可能な担ぎ用具において、
装着者の肩部に装着される左右一対の肩掛け部と、これら肩掛け部に連なって装着者の胸部略中央に位置する胸部側ユニットとを備え、
前記肩掛け部は、前記肩部の前後方向に沿う肩当て領域と、前記胸部側ユニットから肩当て領域に向かって外側に拡開するように角度変位した基部領域とを備え、前記胸部側ユニットの左右幅内に略収まる位置に取り付けられるとともに、帯状の片部材を部分的に折り曲げることで得られる形状をなし、
前記基部領域は、その途中一箇所に形成された略直線状の折り曲げ部と、当該折り曲げ部の上方に位置する略平坦面状の上部領域と、折り曲げ部の下方に位置して胸部側ユニットに固定される略平坦面状の下部領域とにより構成され、
前記折り曲げ部は、正面視で上部領域が下部領域に対して外向きに屈曲するように形成され、且つ、側面視で上部領域が下部領域に対して後向きに屈曲するように形成される、という構成を採っている。このような構成によれば、肩掛け部が胸部側ユニットの左右幅内に略収まる位置に取り付けられているため、胸部側ユニットよりも左右両方向に突出する従来の突出部を設けることなく、肩掛け部を胸部側ユニットに取り付けることができ、胸部への圧迫感を低減して良好な装着感を付与することができる。また、各肩掛け部が胸部側ユニットの左右幅内に略収まる位置に取り付けられても、各肩当て領域の間隔を装着者の肩幅に合わせることが可能になる。
【０００７】
【実施例】
以下、本発明の実施例について図面を参照しながら説明する。
なお、以下において、「上」、「下」、「左」「右」、「前」、「後」等の位置的或いは方向的記載は、特に明示しない限り、マーチングキーボードを装着した図１の状態の演奏者（装着者）を対面して見た場合における位置或いは方向について用いられる。
【０００８】
図１には、本実施例に係る担ぎ用具を含むマーチングキーボードの概略斜視図が示されている。この図において、マーチングキーボード１０は、鍵盤１２やスピーカー１３を含む支持対象物としてのキーボード本体１５と、このキーボード本体１５を支持した状態で演奏者Ｐ（装着者Ｐ）の身体に装着可能な担ぎ用具１６とを備えて構成されている。
【０００９】
前記キーボード本体１５は、例えば、実開平０６−０５００９４号等に記載されているように、鍵盤１２のキー操作に基づき、図示しないアンプユニットを介してスピーカー１３から発音することのできる公知の構造が採用されている。このキーボード本体１５の構造は、本発明の要旨ではないため、ここでは、詳細な説明を省略する。
【００１０】
前記担ぎ用具１６は、キーボード本体１５を固定的に支持する支持フレーム１７と、この支持フレーム１７の後端側に固定されるとともに、装着者Ｐの腹部付近に位置する腹当て部１８と、この腹当て部１８の左右略中央に固定されるとともに、装着者Ｐの胸部Ｂの略中央に位置する胸部側ユニットとしてのスライドユニット１９と、このスライドユニット１９に連なるとともに、装着者Ｐの肩部Ｓに装着される左右一対の肩掛け部２０，２０とを備えて構成されている。
【００１１】
前記スライドユニット１９は、図２に示されるように、同図中上側に位置する端面略Ｃ字状の第１のスライド部材２５と、この第１のスライド部材２５の内側に配置されて上下方向に相対移動可能に設けられるとともに、下端側に前記腹当て部１８が固定される端面略コ字状の第２のスライド部材２６とを含んで構成されており、第１及び第２のスライド部材２５，２６の全体長さを変化させてキーボード本体１５の高さを調整できるようになっている。ここで、第１のスライド部材２５は、その後端側に相互に略面一となる左右一対の背部３４，３４を含んで構成されており、これら背部３４，３４間には、第１のスライド部材２５の左右幅に略収まる左右幅を備えたプレート状の取付部材６３が固定されるようになっており、この取付部材６３の面内には、各肩掛け部２０，２０の下端側がリベットＲで回転可能に取り付けられている。これによって、肩掛け部２０，２０は、スライドユニット１９の左右幅内に略収まる位置で取り付けられ、且つ、リベットＲを中心として取付部材６３の面に沿う方向に回転可能となる。
なお、その他のスライドユニット１９の構造については、本発明の要旨でないため、詳細な説明を省略するが、本発明においては、装着者Ｐの胸部Ｂの略中央に位置する限りにおいて、種々の構造を採用することができる。また、本発明における胸部側ユニットとしては、スライド機能を有しない構造のものを採用することもできる。
【００１２】
前記各肩掛け部２０，２０は、図２〜図４に示されるように、先端がフック状に湾曲する帯状の片部材を部分的に折り曲げることで得られる形状をなしており、肩部Ｓ（図１参照）の前後方向に沿う湾曲面状の肩当て領域６５と、装着者Ｐの装着状態で、スライドユニット１９から肩当て領域６５に向かって外側に拡開するように角度変位した基部領域６６とにより構成されている。
【００１３】
前記基部領域６６は、その途中一箇所に形成された略直線状の折り曲げ部６８と、当該折り曲げ部６８の上方に位置する略平坦面状の上部領域６６Ａと、折り曲げ部６８の下方に位置して取付部材６３に固定される略平坦面状の下部領域６６Ｂとにより構成されている。折り曲げ部６８は、図３に示されるように、正面視で、上部領域６６Ａが下部領域６６Ｂに対して外向きに屈曲するように形成され、且つ、図４に示されるように、側面視で、上部領域６６Ａが下部領域６６Ｂに対して後向き（同図中左向き）に屈曲するように形成されている。ここで、図３に示されるように、正面視において、折り曲げ部６８と下部領域６６Ｂとにより形成される角度θ1は、左右両側の各肩当て領域６５，６５の離間幅が肩幅に適合するように設定される。一方、図４に示されるように、側面視において、上部領域６６Ａと下部領域６６Ｂとにより形成される角度θ2は、装着者Ｐの肩部Ｓから胸部Ｂに向かう傾きに略沿うように設定される。
【００１４】
従って、このような実施例によれば、各肩掛け部２０，２０がスライドユニット１９の左右幅内に略収まる位置に取り付けられているため、装着者Ｐが担ぎ用具１６を装着しているときに、スライドユニット１９よりも外側で胸部Ｂに当たる部材がなく、マーチングキーボード１０の使用時における胸部Ｂへの圧迫感を低減することができるという効果を得る。
【００１５】
また、各肩掛け部２０，２０は、取付部材６３の面に沿って回転できる構造となっているため、各肩当て領域６５，６５の離間幅を各装着者Ｐに応じた最適な幅に調整することもできる。
【００１６】
なお、前記実施例では、マーチングキーボード１０の担ぎ用具１６について図示説明したが、本発明はこれに限らず、他の楽器や物品等、支持対象の異なる他の担ぎ用具に適用することもできる。
【００１７】
また、前記肩掛け部２０の形状としては、前記図示例に限定されるものではなく、胸部側ユニット１９の左右幅に略収まる位置に取り付けられ、且つ、装着者Ｐの肩部Ｓに装着できる限りにおいて、途中にアンジュレーションや捻りが付加された形状等、他の形状を採用することもできる。
【００１８】
【発明の効果】
以上説明したように、本発明によれば、装着者の胸部略中央に位置する胸部側ユニットの左右幅内に略収まる位置に、装着者の肩部に装着される左右一対の肩掛け部を取り付けたから、胸部側ユニットよりも左右両方向に突出する従来の突出部が不要となり、胸部への圧迫感を低減して良好な装着感を付与することができる。
【００１９】
また、前記肩掛け部は、胸部側ユニットから肩当て領域に向かって外側に拡開するように角度変位した基部領域を備えたから、各肩掛け部が胸部側ユニットの左右幅内に略収まる位置に取り付けられても、各肩当て領域の間隔を装着者の肩幅に合わせることが可能になる。
【図面の簡単な説明】
【図１】  本実施例における担ぎ用具を含むマーチングキーボードの概略斜視図。
【図２】  図１の要部における一部分解斜視図。
【図３】  肩掛け部の概略正面図。
【図４】  肩掛け部の概略側面図。
【図５】  従来例における担ぎ用具を含むマーチングキーボードの概略斜視図。
【符号の説明】
１５・・・キーボード本体（支持対象物）、１６・・・担ぎ用具、１９・・・スライドユニット（胸部側ユニット）、２０・・・肩掛け部、６５・・・肩当て領域、６６・・・基部領域、Ｂ・・・胸部、Ｐ・・・装着者、Ｓ・・・肩部
【図１】
0004042444.tif 000002
【図２】
0004042444.tif 000003
【図３】
0004042444.tif 000004
【図４】
0004042444.tif 000005
【図５】
0004042444.tif 000006